(57)【要約】【課題】　本発明はＰＳＴＮ回線とＰＳＴＮ加入者に発信通話可能なVOIP回線の２つの電話回線を効率的に使用することができる手段を提供することを目的とする。【解決手段】　電話機は、ＰＳＴＮ回線とＰＳＴＮ加入者に発信通話可能なVOIP回線の２つの電話回線に対して着信或は、発信をして複数の通話を行う手段を備え、複数の前記ＰＳＴＮ加入者に対して同時に発信通話することができる。【選択図】　　　　　　図１
2004140859.tif 000002
【特許請求の範囲】
【請求項１】
ＰＳＴＮ加入者に対して発信通話可能なＶＯＩＰ回線を含む複数の電話回線に接続され、親機及び子機から構成され、前記電話回線の状態を監視把握した出力に応答して前記親機内に設けられた切替器を制御することにより前記電話回線への通話ルートが複数設定される電話機の通話方法であって、
前記電話回線と前記親機及び子機とのあいだで着信或は発信をして複数の通話を行い、且つ複数の前記ＰＳＴＮ加入者に対して同時に発信通話することを特徴とする通話方法。
【請求項２】
ＰＳＴＮ加入者に対して発信通話可能なＶＯＩＰ回線を含む複数の電話回線に接続された親機及び子機から構成される電話機の通話方法であって、前記電話回線の状態を監視把握して前記電話回線と前記親機及び子機とのあいだで着信或は発信をして複数の通話を行い、発信の際には前記ＶＯＩＰ回線を優先的に選択して前記ＶＯＩＰ回線から前記ＰＳＴＮ加入者に対して発信して通話することを特徴とする通話方法。
【請求項３】
ＰＳＴＮ加入者に対して発信通話可能なＶＯＩＰ回線を含む複数の電話回線に接続された親機及び子機から構成される電話機であって、前記電話回線の状態を監視把握する監視把握手段と、前記監視把握手段の出力に応答して前記電話回線への通話ルートを複数設定する制御信号を発生する制御手段と、前記制御信号で制御される前記親機内に設けられた切替手段と、を備え
前記電話回線と前記親機及び子機とのあいだで着信或は発信をして複数の通話を行い、且つ複数の前記ＰＳＴＮ加入者に対して同時に発信通話することを特徴とする電話機。
【請求項４】
ＰＳＴＮ加入者に対して発信通話可能なＶＯＩＰ回線を含む複数の電話回線に接続された親機及び子機から構成される電話機であって、前記電話回線の状態を監視把握して前記電話回線と前記親機及び子機とのあいだで着信或は発信をして複数の通話をする手段と、発信の際に前記ＶＯＩＰ回線を優先的に選択する手段とを備え、発信の際に前記ＶＯＩＰ回線を優先的に選択して前記ＶＯＩＰ回線から前記ＰＳＴＮ加入者に対して発信して通話することを特徴とする電話機。
【請求項５】
ＰＳＴＮ加入者に対して発信通話可能なＶＯＩＰ回線を含む複数の電話回線に接続された親機及び子機から構成される電話機であって、前記電話回線の状態を監視把握する監視把握手段と、前記監視把握手段の出力に応答して前記電話回線への通話ルートを複数設定する制御信号１を発生する制御手段１と、前記制御信号１及び制御信号２で制御される前記親機内に設けられた切替手段と、
前記ＶＯＩＰ回線を優先発信とする登録手段と、前記登録手段の出力に応答し前記切替手段を制御して前記ＶＯＩＰ回線への通話ルートを設定する前記制御信号２を発生する制御手段２と、を備え
前記電話回線と前記親機及び子機とのあいだで着信或は発信をして複数の通話を行い、発信の際に前記ＶＯＩＰ回線を優先的に選択して前記ＶＯＩＰ回線から前記ＰＳＴＮ加入者に対して発信して通話することを特徴とする電話機。
【請求項６】
ＶＯＩＰ回線を含む複数の電話回線に接続され、受話器を備えた親機及び子機から構成される電話機であって、前記電話回線の状態を監視把握する監視把握手段と、前記監視把握手段の出力に応答して前記電話回線への通話ルートを複数設定する制御信号１を発生する制御手段１と、前記制御信号１と制御信号２で制御される前記親機内に設けられた切替手段と、前記受話器の操作パネル上の切替操作に応答して前記切替手段を制御する前記制御信号２を発生する制御手段２とを備え、
前記電話回線と前記親機及び子機とのあいだで着信或は発信をして複数の通話を行い、前記電話回線と前記受話器で通話をしている状態で、他の前記電話回線から着信があった時通話先を切替えることを特徴とする電話機。
【請求項７】
前記制御信号２がフッキング信号とは異なる信号形式で作成されていることを特徴とする請求項６に記載の電話機。
【発明の詳細な説明】
【技術分野】
【０００１】
　本発明は電話機に関し、特にＰＳＴＮ回線とＶＯＩＰ回線の２つの回線とのあいだで着信或は、発信をして通話する電話機に関する。
【背景技術】
【０００２】
　近年インターネット回線を使用したＶＯＩＰ（ｖｏｉｃｅ　ｏｖｅｒ　ＩＰ）電話が実用になってきた。ＶＯＩＰ電話は音声品質には未だ問題があるが既存のＰＳＴＮ電話に比較して通話料金が低いという利点があり普及しようとしている。その使用形態のひとつはＩＰ回線と従来の電話機の間にＶＯＩＰ　ＴＡ（ＶＯＩＰ　ターミナル　アダプター）を設置して、従来の電話機で通話を行うものである。
【０００３】
ＶＯＩＰ　ＴＡは電話機で扱うアナログ音声信号をＩＰ回線上に重畳するＩＰデータ信号への符号化変換及びその逆の復号化変換を行うものである。このように現在では既存のＰＳＴＮ回線に加えてＶＯＩＰ回線の2つの電話回線がしかも独立に存在する。
【発明の開示】
【発明が解決しようとする課題】
【０００４】
この２つの電話回線を有効に活用するためには、1種類の回線を入力としている従来の電話機では、それぞれ1台づつ合計2台が必要になる。更に2台使用した場合２回線の間の連携は取れないので使い勝手が悪い。また従来の電話機は親機と子機からなるコードレス電話が主流でありこの電話を2台備えることは家の中が電話機で溢れる感があり好ましくない。
【０００５】
本発明はこのような欠点を取り除くもので、本発明の目的はＰＳＴＮ加入者に対して発信通話可能なＶＯＩＰ回線を含む複数の電話回線を効率的に融合して使用することができることのみならず通話料金を低く抑えることができる手段を提供することにある。
【課題を解決するための手段】
【０００６】
以上の課題を解決するためになされた本発明はＰＳＴＮ加入者に対して発信通話可能なＶＯＩＰ回線を含む複数の電話回線に接続され、親機及び子機から構成され、前記電話回線の状態を監視把握した出力に応答して前記親機内に設けられた切替器を制御することにより前記電話回線への通話ルートが複数設定される電話機の通話方法であって、
前記電話回線と前記親機及び子機とのあいだで着信或は発信をして複数の通話を行い、且つ複数の前記ＰＳＴＮ加入者に対して同時に発信通話する通話方法である。
【０００７】
また、ＰＳＴＮ加入者に対して発信通話可能なＶＯＩＰ回線を含む複数の電話回線に接続された親機及び子機から構成される電話機の通話方法であって、前記電話回線の状態を監視把握して前記電話回線と前記親機及び子機とのあいだで着信或は発信をして複数の通話を行い、発信の際には前記ＶＯＩＰ回線を優先的に選択して前記ＶＯＩＰ回線から前記ＰＳＴＮ加入者に対して発信して通話する通話方法である。
【０００８】
また、ＰＳＴＮ加入者に対して発信通話可能なＶＯＩＰ回線を含む複数の電話回線に接続された親機及び子機から構成される電話機であって、前記電話回線の状態を監視把握する監視把握手段と、前記監視把握手段の出力に応答して前記電話回線への通話ルートを複数設定する制御信号を発生する制御手段と、前記制御信号で制御される前記親機内に設けられた切替手段とを備え、前記電話回線と前記親機及び子機とのあいだで着信或は発信をして複数の通話を行い、且つ複数の前記ＰＳＴＮ加入者に対して同時に発信通話する電話機である。
【０００９】
また、ＰＳＴＮ加入者に対して発信通話可能なＶＯＩＰ回線を含む複数の電話回線に接続された親機及び子機から構成される電話機であって、前記電話回線の状態を監視把握して前記電話回線と前記親機及び子機とのあいだで着信或は発信をして複数の通話をする手段と、発信の際に前記ＶＯＩＰ回線を優先的に選択する手段とを備え、発信の際に前記ＶＯＩＰ回線を優先的に選択して前記ＶＯＩＰ回線から前記ＰＳＴＮ加入者に対して発信して通話する電話機である。
【発明の効果】
【００１０】
本発明によれば、ＰＳＴＮ加入者に対して発信通話可能なＶＯＩＰ回線を含む複数の電話回線に接続された親機及び子機から前記電話回線に対して着信或は発信をして同時に複数の通話が可能で、且つ複数の前記ＰＳＴＮ加入者に対して同時に発信通話できる効果がある。更に発信通話の際に優先権の登録を前記ＶＯＩＰ回線に設定することにより前記ＶＯＩＰ回線から前記ＰＳＴＮ加入者に優先的に発信して通話することができ、ＰＳＴＮ回線よりも通話料金を低く抑えられる効果がある。またキャッチホン機能に応用することができる効果もある
【発明を実施するための最良の形態】
【００１１】
この発明の一実施形態を図１に示す。図1は本発明による親機と子機から構成される電話機であり、図２は本発明による電話機が使用されるシステム図である。　図中１は回線制御回路、２は切替制御回路、３はハンドセット、４及び１１は無線制御回路、５及び１３は制御回路、６は操作パネル、７は表示機（ＬＣＤ）、８は呼出ベル、９，１０はアンテナ、１２はマイク／スピーカ（ＭＩＣ／ＳＰ）、１４はＶＯＩＰ　ＴＡ、１５はアクセス回線、１６はＰＳＴＮ加入者電話機、１７はインターネット網、１８はＰＳＴＮ網、１９はゲートウエイ、３０は電話機、３１は親機、３２は子機である。
【００１２】
まず図2について説明する。電話機３０にはＶＯＩＰ回線とＰＳＴＮ回線の２つの電話回線が接続されている。ＶＯＩＰ回線はインターネット網１７からアクセス回線１５及びＶＯＩＰ　ＴＡ１４を経由して電話機３０に接続される。ＶＯＩＰ　ＴＡ１４は電話機３０で扱うアナログ音声信号をインターネット網１７上のＩＰデータ信号へ符号化変換する機能及びその逆の復号化変換する機能を有するものである。アクセス回線１５にはＦＴＴＨ或いはＡＤＳＬのような有線アクセスシステム、あるいは無線ＬＡＮのような無線アクセスシステムが使用される。ＰＳＴＮ回線はＰＳＴＮ網１８に接続されている。ＰＳＴＮ網１８にはその網に属するＰＳＴＮ加入者電話機１６が接続されている。電話機３０もＰＳＴＮ加入者電話機の１つである。
【００１３】
インターネット網１７とＰＳＴＮ網１８とはゲートウエイ１９で接続されている。ゲートウエイ１９はＶＯＩＰ回線のＩＰアドレスをＰＳＴＮ網の電話番号体系へ変換する機能、電話信号のパケットーアナログ信号変換、等を行うもので、これによりＶＯＩＰ回線からＰＳＴＮ回線のＰＳＴＮ加入者電話機へ発信通話が可能となる。この回線構成が開示されている例としては、特願平１０−４５５９８号公報に記載されているものがある。このように図２の構成でのＶＯＩＰ回線はＶＯＩＰ回線に属する電話機への発信通話に加えてＰＳＴＮ加入者電話機への発信通話が可能となっている。
【００１４】
次に図１にて電話機３０の動作を説明する。電話機３０は親機３１と子機３２から構成される。親機３１は通話が出来るハンドセット３を備えている。また子機３２はハンドセット形となっており通話は１２にて行う。親機３１で受けた入力回線からの信号は無線制御回路４及び１１、アンテナ９，１０を使用した無線通信にて３２に伝送される。回線制御回路１は発信時の回線接続及び着信検出及びその処理、また通話時にはインターフェース処理等を行う。切替制御回路２は２つの入力回線からの信号を状況に応じてそれぞれ３及び４に接続する。その制御は５が行う。
【００１５】
次に例を挙げて動作を説明する。ＰＳＴＮ回線より着信があった場合、回線制御回路１は着信を検出し制御回路５に伝える。５及び１３は親機３１の呼出ベル８及び、子機３２の呼出ベル８を鳴らし着信を知らせる。今子機を取り上げた場合、即ちオフフックした場合、制御回路５は着信通話信号が１−２−４−９−１０−１１の通話ルートを経由して１２に伝達される様に切替制御回路２を制御して、１２を使用して通話が開始される。
【００１６】
次にその通話が継続している状態でＶＯＩＰ回線より着信があった場合について説明する。まず回線制御回路１にて着信を検出し制御回路５に伝える。５は現在使用されていない通話機を特定しようと動作し、今それが親機であるので親機の呼出ベル８を鳴らすとともに切替制御回路２を制御してハンドセット３までの通話ルートを確立する。ここでハンドセット３を使用した通話が可能となる。
【００１７】
次に先のＰＳＴＮ回線と通話が継続されている状態で、発信通話をする場合の動作について説明する。ハンドセット３をオフフック即ち発信通話状態にすると制御回路５は、現在ＶＯＩＰ回線が空きであることを確認して切替制御回路２を制御して３への通話ルートを確立する。次に制御回路５は発信通話が可能である事を通話者に通知して、操作パネル６にてダイアルされたとき回線制御回路１を制御して回線接続の処理をする。この結果ハンドセット３はＶＯＩＰ回線を介して通話が可能となる。通話終了はハンドセット3及び子機をオンフックすることにより行われる。
【００１８】
以上は、先にＰＳＴＮ回線より着信があり、その状態でＶＯＩＰ回線からの着信あるいはＶＯＩＰ回線へ発信をする場合の動作について説明した。その逆の場合、即ち先にＶＯＩＰ回線より着信があり、その状態でＰＳＴＮ回線からの着信あるいはＰＳＴＮ回線へ発信をする場合の動作も、先に説明した動作とほぼ同じであるのでその説明は割愛する。
【００１９】
次に発信の場合の動作を説明する。まずＰＳＴＮ回線とＶＯＩＰ回線のうちどちらの回線に優先して発信するかを予め制御回路５に登録設定することが必要で今ＶＯＩＰ回線を優先とする。この設定によりＶＯＩＰ回線が優先的に選択されることになる。子機を使用するとして、子機をオフフックした時、制御回路５にて登録内容に応答して作成された制御信号が作動し、切替制御回路２を制御して子機３２からＶＯＩＰ回線への通話ルートを確立する。次に子機の操作パネル６でダイアルすればＶＯＩＰ回線を使用して通話が開始される。
【００２０】
この状態においては親機の通話機能はＰＳＴＮ回線で使用可能となることを制御回路５は認識して、そのように１，２を制御する。それによりＰＳＴＮ回線より着信があれば親機の呼出ベル８を鳴らせ、ハンドセット３を使用して通話を開始できる。またＰＳＴＮ回線への発信も可能でハンドセットを通話状態にして親機の６にてダイアルすれば実現できる。
【００２１】
これまで図１の本発明の一実施形態の動作を説明してきたが、ここで動作を整理すると次のようになる。ＶＯＩＰ回線及びＰＳＴＮ回線の２つの電話回線が親機３１に接続されており、それらの電話回線からの着信と、親機３１及び子機３２からの発信を制御回路５及び１３により常時監視把握する。その監視把握情報に基づいて制御信号を制御回路５で作成して、その信号により親機３１に実装されている切替制御回路２を制御して、前記電話回線への通話ルートを複数設定する。この一連の動作により、親機３１及び子機３２で別々にほぼ自由に２つの電話回線に対して発着信することが出来る。
【００２２】
また本発明のシステムにおけるＶＯＩＰ回線はＰＳＴＮ回線に属するＰＳＴＮ加入者に対して発信通話可能であるので、親機３１及び子機３２から、ＰＳＴＮ回線とＶＯＩＰ回線を使用して複数のＰＳＴＮ加入者に対して同時に発信通話する事が出来る。
更に発信通話の際に優先権の登録をＶＯＩＰ回線に設定することによりＶＯＩＰ回線からＰＳＴＮ加入者に発信してＰＳＴＮ回線を使用した場合よりも通話料金を低く抑える事が出来る。従来の親子電話は２つ以上の通話機能を有しているものがほとんどであるので図1を実現するためには制御機能の見直し程度で達成できる。それはそれ程のコストアップとはならない。
【００２３】
他の実施例として、キャッチホンにも応用することが出来る。たとえば通話者が２つの回線のうちどちらかの回線を使用して通話をしているとき、もう１つの回線から着信があった時、制御回路５から当該ハンドセットの受話器に音によって通話者に着信を知らせる。通話者が新たな着信と通話したい意思があれば操作パネル６上で切替操作を行えば、その操作による信号に応答して制御回路５にて作成された制御信号によって切替制御回路２が制御され通話先を切り替えることが出来る。また元に戻すことも出来る。ここで、先の制御信号は電話機３０内で作成され、同じ電話機３０内の切替制御回路２を制御するため、その制御信号の信号形式は制約なしで独自で決めることが出来る。それ故本発明による切替信号の信号形式としては、従来の通信事業者が提供しているキャッチフォンサービスにおいて標準的に使用されているオフフック及びオンフック操作で発生するフッキング信号を使用する必要は無い。
【００２４】
図１の説明では無線を利用したコードレス電話機であったが有線電話機であっても同様な効果を持つ、また入力回線として３回線以上となっても例えば子機を増し、制御機能を見直せば同様に構成することが出来る。本発明による電話機にＶＯＩＰ運用事業者が提供するＶＯＩＰ　ＴＡを取り込んでも本発明の効果は変わらない。
【００２５】
今までの説明はＶＯＩＰ回線による通話には何の制約はないものとして説明したが、現状では運用事業者によって種々の制約がある。例えば緊急電話番号、携帯電話番号等には発信できない制約がある。また現状では未だ着信番号が割り当てられていないのでＰＳＴＮ加入者からの着信は受けられない制約がある。このような制約のうち発信については、予め制御回路５及び１３に登録して、電話番号によって回線を選択させれば良い。或いは制約は運用事業者によるシステムに依存しているので運用事業者が提供するＶＯＩＰ　ＴＡにて対応させることもできる。尚現状のＶＯＩＰ回線による通話には先に説明したような制約がありＰＳＴＮ回線を共用せざるを得ないが、将来的には制約が解消されると思われるので本発明にとってＰＳＴＮ回線の使用は不可欠なものではない。
【図面の簡単な説明】
【００２６】
【図１】本発明の一実施形態を示す図である。
【図２】本発明による電話機が使用されるシステム図である。
【符号の説明】
【００２７】
　１　　　　　　　　回線制御回路
　２　　　　　　　　切替制御回路
　３　　　　　　　　ハンドセット
　４及び１１　　　無線制御回路
　５及び１３　　　制御回路
　６　　　　　　　　操作パネル
　７　　　　　　　　表示機（ＬＣＤ）
　８　　　　　　　　呼出ベル
　９及び１０　　　　アンテナ
１２　　　　　　　マイク／スピーカ（ＭＩＣ／ＳＰ）
１４　　　　　　ＶＯＩＰ　ＴＡ
１５　　　　　　アクセス回線
１６　　　　　　ＰＳＴＮ加入者電話機
１７　　　　　　インターネット網
１８　　　　　　ＰＳＴＮ網
１９　　　　　　ゲートウエイ
３０　　　　　　電話機
３１　　　　　　親機
３２　　　　　　子機
【図１】
2004140859.tif 000003
【図２】
2004140859.tif 000004